(57)【要約】【課題】  照明器本体(5)側から突出した合成樹脂製の支持パイプ(50)が接続プラグ(P)に取り付けられた照明器具に於いて、照明器本体(5)を接続プラグ(P)と同軸状に回転させて照明方向を変更できる構造にしても、部品点数を少なくできるようにする。【解決手段】  前記接続プラグ(P)は、前記支持パイプ(50)の先端を径方向から包持するように重ね合わされる合成樹脂製の一対の前方ケース(1)及び後方ケース(2)を具備し、前記支持パイプ(50)の前記先端近傍にて軸方向に間隔を存して張り出す一対の平行な外周フランジが前記支持パイプ(50)に一体的に形成されており、前記前方ケース(1)及び後方ケース(2)の内周には、前記重ね合わされた状態で前記一対の外周フランジ相互の対向面に各別に圧接される第１，第２起立板が突設され、前記第１，第２起立板は、前記一対の外周フランジの配設方向に間隔を存して配設されていること。【選択図】図１
2008097931.tif 000002
【特許請求の範囲】
【請求項１】
照明器本体(5)側から突出した合成樹脂製の支持パイプ(50)が接続プラグ(P)に取り付けられた照明器具に於いて、
前記接続プラグ(P)は、前記支持パイプ(50)の先端を径方向から包持するように重ね合わされる合成樹脂製の一対の前方ケース(1)及び後方ケース(2)を具備し、
前記支持パイプ(50)の前記先端近傍にて軸方向に間隔を存して張り出す一対の平行な外周フランジが前記支持パイプ(50)に一体的に形成されており、
前記前方ケース(1)及び後方ケース(2)の内周には、前記重ね合わされた状態で前記一対の外周フランジ相互の対向面に各別に圧接される第１,第２起立板が突設され、
前記第１，第２起立板は、前記一対の外周フランジの配設方向に間隔を存して配設されている、照明器具。
【請求項２】
請求項１に記載の照明器具に於いて、
前記第１起立板は前記一方の外周フランジに対して周方向の全域に圧接する一方、
前記第２起立板は、他方の外周フランジに対して周方向の一部に圧接する、照明器具。
【請求項３】
請求項１又は請求項２に記載の照明器具に於いて、
前記前方ケース(1)及び後方ケース(2)と前記支持パイプ(50)には、前記支持パイプ(50)が軸周りに回転する範囲を規制するストッパが設けられている、照明器具。
【請求項４】
照明器本体(5)側から突出した合成樹脂製の支持パイプ(50)が接続プラグ(P)に取り付けられた照明器具に於いて、
前記接続プラグ(P)は、前記支持パイプ(50)の先端を径方向から包持するように重ね合わされる合成樹脂製の一対の前方ケース(1)及び後方ケース(2)を具備し、
前記支持パイプ(50)の前記先端近傍にて軸方向に間隔を存して張り出す一対の平行な外周フランジが前記支持パイプ(50)に一体的に形成されており、
前記前方ケース(1)及び後方ケース(2)の内周には、前記重ね合わされた状態で前記一対の外周フランジの間に圧入される係合起立体が突設されている、照明器具。
【発明の詳細な説明】
【技術分野】
【０００１】
本発明は、天井や壁面に配設されたダクトレールに接続される照明器具に関するものである。
【背景技術】
【０００２】
ダクトレールは、小型の照明器具をスライド移動可能に取り付けるために広く利用されており、例えば、家庭での家具の配置や生活スタイルに合わせて小型照明器具をスライド移動する場合に用いられる。又、ショウルームや展示会場等でのディスプレイ効果を高める目的で展示品や陳列品をスポット的に照らす為に、小型の照明器具をスライド移動自在に取り付ける場合等にも用いられる。
【０００３】
一方、前記照明器具にはダクトレールに着脱自在に取り付けるため、図７、図８のような構造の接続プラグが接続されている。
図８に示すように、この接続プラグ(P)の正面には上下移動自在のスライドロック(6)が配設されていると共に、上端には後述のダクトレール(3)（図７参照）に挿入接続する為のフック軸(A1)が突設されている。又、フック軸(A1)からは、ダクトレール(3)に抜け止め状態に係合する為の一対の係合片(A11)(A11)とその上方の端子金具(4)(4)が半径方向の外向きに突出している。
【０００４】
図７は、接続プラグ(P)と照明器本体(5)との結合部を説明する分解斜視図である。
接続プラグ(P)は、半楕円筒状の前方ケース(1)と後方ケース(2)を楕円筒状に組み合わせて構成されるもので、これら前後ケース(1)(2)の下端内周の夫々には下フランジ(10)と上フランジ(11)が間隙(S)を存して配設されている。
【０００５】
照明器本体(5)から上方へ突出した支持パイプ(50)の上端には、長方形状の吊下プレート(51)が外嵌していると共に、該吊下プレート(51)は、支持パイプ(50)の上端に螺合される固定ナット(52)とバネ座金(53)で固定されるようになっている。又、吊下プレート(51)の外周は前記上下フランジ(10)(11)の相互の間隙(S)に挿入されるようになっている。
このものでは、支持パイプ(50)の上端に吊下プレート(51)を外嵌させた図７の状態で、支持パイプ(50)の上端にバネ座金(53)を外嵌し、更に、固定ナット(52)を螺合すると、吊下プレート(51)が支持パイプ(50)に固定される。
【０００６】
接続プラグ(P)と支持パイプ(50)を結合するときは、先ず、支持パイプ(50)内から引き出された配線(54)(54)の上端の環状端子(45)(45)を、接続プラグ(P)に取り付けられた端子金具(4)(4)の下端から屈曲する配線固定片(40)(40)にビス(b)(b)で結合する。次に、吊下プレート(51)の外周が前後ケース(1)(2)の下端内周に張り出す上下フランジ(10)(11)相互の間隙(S)に挿入されるように、前後ケース(1)(2)を楕円筒状に重ね合わせて結合ネジ(c)で固定する。すると、長方形の吊下プレート(51)が楕円状の接続プラグ(P)の内周の上下フランジ(10)(11)間に密に嵌入された状態になり、これにより、該吊下プレート(51)はその平面内で回転不能状態に接続プラグ(P)に結合され、図８に示すように、接続プラグ(P)が支持パイプ(50)の上端に取り付けられる。
【０００７】
照明器本体(5)をダクトレール(3)に取り付けるときは、図８に現れる係合片(A11)(A11)をダクトレール(3)の長手方向に平行にした状態で、フック軸(A1)をダクトレール(3)のスライド溝(31)に挿入した後、接続プラグ(P)を軸周りに回転させる。すると、フック軸(A1)の外周に突出する係合片(A11)(A11)が、スライド溝(31)内の係合バー(32)(32)に上方から係合すると共に、端子金具(4)(4)がスライド溝(31)内の電極バー(33)(33)に接触し、これにより、接続プラグ(P)がダクトレール(3)に摺動自在に結合する。
【０００８】
このものでは、接続プラグ(P)がダクトレール(3)のスライド溝(31)に沿って自由に摺動可能であるから、家庭での家具の配置や、ショウルームでのディスプレイ効果のために照明器本体(5)を適正位置へスライド移動させることができる。
【特許文献１】実開昭５５−４５１８１号公報
【発明の開示】
【発明が解決しようとする課題】
【０００９】
しかしながら、上記従来のものでは接続プラグ(P)に照明器本体(5)を吊下状態に連結する為の部品として、支持パイプ(50)の上端に外嵌する吊下プレート(51)と、これを押さえるバネ座金(53)と、更に、支持パイプ(50)の上端に螺合する固定ナット(52)等、多くの部品が必要になるという問題があった。
【００１０】
又、上記従来のものでは、前述のように、吊下プレート(51)はその平面内で回転不能状態に接続プラグ(P)に結合されているから、斜め下方をスポット的に照明する形式の照明器具では照明方向を変更することができず、かかる形式の照明器具には適用できないという問題もあった。
【００１１】
本発明はかかる点に鑑みて成されたもので、照明器本体(5)を接続プラグ(P)と同軸状に回転させて照明方向を変更できる構造にしても、部品点数を少なくできるようにすることを課題とする。
【課題を解決するための手段】
【００１２】
［請求項１に係る発明］
上記課題を解決する為の請求項１に係る発明の解決手段は、
『照明器本体(5)側から突出した合成樹脂製の支持パイプ(50)が接続プラグ(P)に取り付けられた照明器具に於いて、
前記接続プラグ(P)は、前記支持パイプ(50)の先端を径方向から包持するように重ね合わされる合成樹脂製の一対の前方ケース(1)及び後方ケース(2)を具備し、
前記支持パイプ(50)の前記先端近傍にて軸方向に間隔を存して張り出す一対の平行な外周フランジが前記支持パイプ(50)に一体的に形成されており、
前記前方ケース(1)及び後方ケース(2)の内周には、前記重ね合わされた状態で前記一対の外周フランジ相互の対向面に各別に圧接される第１,第２起立板が突設され、
前記第１，第２起立板は、前記一対の外周フランジの配設方向に間隔を存して配設されている』ことである。
前記解決手段によれば、接続プラグ(P)を構成する前方ケース(1)及び後方ケース(2)の内周に突設された第１，第２起立板は、照明器本体(5)側から突出した支持パイプ(50)の先端近傍の一対の外周フランジ相互の対向面に各別に圧接されている。又、第１，第２起立板は、前記一対の外周フランジの配設方向に間隔を存して配設されている。従って、上記前後ケース(1)(2)の前記第１，第２起立板が支持パイプ(50)側の一対の外周フランジ相互の対向面に各別に圧接した状態では、一対の外周フランジと第１，第２起立板の夫々が圧接方向に若干弾性変形する。即ち、一対の外周フランジの弾性変形だけでなく、更に、これらの間に挿入される第１起立板と第２起立板の弾性変形によっても、前記圧接の力が確保される。
【００１３】
そして、この状態で、照明器本体(5)側の支持パイプ(50)と接続プラグ(P)が軸周りに相対的に回転することができる。従って、接続プラグ(P)を既述ダクトレール等のソケット部に接続した状態でも、照明器本体(5)による照明方向を変更することができる。
【００１４】
又、上記解決手段によれば、照明器本体(5)側から突出した合成樹脂製の支持パイプ(50)に一体的に形成された一対の外周フランジを利用して、接続プラグ(P)と前記支持パイプ(50)を回転可能状態に結合する。従って、既述従来のように、支持パイプ(50)の上端に外嵌する吊下プレート(51)と、これを押さえるバネ座金(53)と、更に、支持パイプ(50)の上端に螺合する固定ナット(52)等が必要なものに比べ、必要部品数を少なくすることができる。
【００１５】
［請求項２に係る発明］
請求項１に係る発明に於いて、
『前記第１起立板は前記一方の外周フランジに対して周方向の全域に圧接する一方、
前記第２起立板は、他方の外周フランジに対して周方向の一部に圧接する』ものでは、第２起立板が、他方の外周フランジに対して一部で圧接するから、第１，第２起立板の両者が外周フランジに対して周方向の全域に圧接す場合に比べ、接続プラグ(P)と前記支持パイプ(50)を小さな力で相対回転させることができる。
【００１６】
［請求項３に係る発明］
請求項１又は請求項２に係る発明に於いて、
『前記前方ケース(1)及び後方ケース(2)と前記支持パイプ(50)には、前記支持パイプ(50)が軸周りに回転する範囲を規制するストッパが設けられている』ものでは、接続プラグ(P)と支持パイプ(50)が無制限に相対回転しない。従って、照明器本体(5)と接続プラグ(P)とが電気配線で繋がっていても、該電気配線が捩れ難い。
【００１７】
［請求項４に係る発明］
前記課題を解決する為の解決手段として、
『照明器本体(5)側から突出した合成樹脂製の支持パイプ(50)が接続プラグ(P)に取り付けられた照明器具に於いて、
前記接続プラグ(P)は、前記支持パイプ(50)の先端を径方向から包持するように重ね合わされる合成樹脂製の一対の前方ケース(1)及び後方ケース(2)を具備し、
前記支持パイプ(50)の前記先端近傍にて軸方向に間隔を存して張り出す一対の平行な外周フランジが前記支持パイプ(50)に一体的に形成されており、
前記前方ケース(1)及び後方ケース(2)の内周には、前記重ね合わされた状態で前記一対の外周フランジの間に圧入される係合起立体が突設されている』ものでは、支持パイプ(50)の先端近傍に張り出す一対の平行な外周フランジ内に前方ケース(1)及び後方ケースの内周に突設された係合起立体が圧入されている。これにより、請求項１に係る発明と同様に、照明器本体(5)側の支持パイプ(50)と接続プラグ(P)が軸周りに相対的に回転することができる。
又、請求項４に係る発明では、支持パイプ(50)は請求項１に係る発明と同様の構成であるから、請求項１に係る発明と同様、必要部品数を少なくすることができる。
【発明の効果】
【００１８】
本発明は次の特有の効果を有する。
請求項１に係る発明では、照明器本体(5)側から突出した合成樹脂製の支持パイプ(50)に一体的に形成された一対の外周フランジを利用して、接続プラグ(P)と前記支持パイプ(50)を回転可能状態に結合することができる。又、既述従来のように、支持パイプ(50)の上端に外嵌する吊下プレート(51)と、これを押さえるバネ座金(53)と、更に、支持パイプ(50)の上端に螺合する固定ナット(52)等が必要なものに比べ、必要部品数を少なくすることができる。
従って、照明器本体(5)を接続プラグ(P)と同軸状に回転させて照明方向を変更できる構造にしても、部品点数を少なくできる。
【００１９】
請求項１に係る発明と相違し、支持パイプ(5)の外周に設けられた一対の外周フランジの間に圧入される厚さの一枚の起立板を前方ケース(1)又は後方ケース(2)に設ける場合は、該起立板と外周フランジの圧接力は一対の外周フランジの弾性変形だけで確保される。これに対し、請求項１に係る発明では、支持パイプ(50)に設けられた一対の外周フランジの弾性変形だけでなく、更に、これらの間に挿入される第１起立板と第２起立板の弾性変形によっても、前記圧接力が確保される。従って、多くの弾性体（外周フランジ及び第１，第２起立板）が前記圧接力に寄与する分、圧接力が経年的に低下する不都合が少ない。
【００２０】
更に、間隔を存して突設された第１,第２起立板が設けられた前方ケース(1)及び後方ケース(2)を用いるから、図７，図８に示す既述従来例と同様の構造の前方ケース(1)及び後方ケース(2)をそのまま利用することができる。
【００２１】
請求項２に係る発明によれば、既述したように、第１，第２起立板の両者が外周フランジに対して周方向の全域に圧接す場合に比べ、接続プラグ(P)と前記支持パイプ(50)を小さな力で相対回転させることができる。
【００２２】
請求項３に係る発明では、既述したように、照明器本体(5)と接続プラグ(P)とが電気配線で繋がっていても、該電気配線が捩れ難い。
請求項４に係る発明では、既述したように、必要部品数を少なくすることができる。
【発明を実施するための最良の形態】
【００２３】
以下に、本発明を実施するための最良の形態について添付図面を参照しながら説明する。
《全体構成》
本実施の形態に係る照明器具は、図１に示すように、照明器本体(5)側から突出した支持パイプ(50)が接続プラグ(P)に取り付けられる構造である。
接続プラグ(P)は、プラグ主体(A)を表裏方向に包持し且つ、支持パイプ(50)の先端を径方向から包持するように重ね合わされる一対の前方ケース(1)及び後方ケース(2)を具備している。以下、各部の詳細を説明する。
【００２４】
＊プラグ主体(A)
図１に現れるように、プラグ主体(A)は、ダクトレール(3)（屋内の天井等の壁面に添設される）のスライド溝(31)に摺動自在に挿入されるフック軸(A1)を具備し、該フック軸(A1)からは、一対の係合片(A11)(A11)とその上方の端子金具(4)(4)が半径方向の外向きに突出している。
【００２５】
各端子金具(4)の下端から屈曲した配線固定片(40)には、支持パイプ(50)内から照明器本体(5)に繋がる配線(54)(54)の上端がビス(b)で固定されている。従って、各端子金具(4)と照明器本体(5)は配線(54)を介して電気的に接続されている。又、フック軸(A1)の上端からはアース端子(42)が突出している。
【００２６】
＊ケース体(B)等
図１,図２に示すように、上記プラグ主体(A)や支持パイプ(50)の上端を覆うケース体(B)は、合成樹脂製の半円筒状の前後ケース(1)(2)に二分割されており、後方ケース(2)の下端近傍には、互いに平行な一対の上下フランジ(24)(25)が設けられている。これら上下フランジ(24)(25)は、照明器本体(5)側の支持パイプ(50)の上端近傍から張り出す外周フランジ(55)(56)内に圧入されるようになっている。図２,図３に示すように、上フランジ(24)の周方向の中央の上面には、半径方向に長いリブ(240)が隆起し、該リブ(240)に続く上フランジ(24)の内周部には、該上フランジ(24)の半径方向の中心側へ突出する回り止め突起(241)が設けられている。
【００２７】
又、上下フランジ(24)(25)の配設部の上方に於ける後方ケース(2)の周側壁には結合ネジ(c)を挿通する為のネジ保持筒(26)が突設さている。
後方ケース(2)の周方向両端の内壁には、プラグ主体(A)の両側辺に形成された係合凹部(76)(76)に係合する位置決め突起(27)(27)が対向突設されていると共に、後方ケース(2)の上端壁(28)には、プラグ主体(A)の上部に外嵌する矩形状切欠(280)が開設されている。
【００２８】
図１,図２に示すように、前方ケース(1)は、前記後方ケース(2)に向かい合う半円筒状に形成されており、外周面には、スライドロック(6)を上下摺動自在に装填する為の縦長凹部(12)が形成されている。又、図２に示すように、スライドロック(6)はコイルバネ(65)で上方に付勢されていると共に、前方ケース(1)には、後方ケース(2)側から挿通される結合ネジ(c)を螺入するナット(16)が設けられている。
【００２９】
前方ケース(1)の下端近傍には、照明器本体(5)の支持パイプ(50)の上端近傍から張り出す外周フランジ(55)(56)内に圧入される平行な一対の上下フランジ(14)(15)が設けられており、これら上下フランジ(14)(15)と既述後方ケース(2)側の上下フランジ(24)(25)は、既述請求項１の発明特定事項たる「第１,第２起立板」と、請求項４の発明特定事項たる「係合起立体」に対応している。又、図２に示すように、上フランジ(14)の周方向の中央の上面には、これに対応する後方ケース(2)側の上フランジ(24)と同様、半径方向に長いリブ(140)が隆起しており、該リブ(140)に続く上フランジ(14)の内周部には、該上フランジ(14)の半径方向の中心側へ突出する回り止め突起(141)が設けられている。
【００３０】
前方ケース(1)の上端壁上フランジ(14)には、プラグ主体(A)の上部に外嵌する矩形状切欠(180)が開設されていると共に、前方ケース(1)の周方向両端の内壁には、プラグ主体(A)の両側辺に形成された係合凹部(86)(86)に係合する位置決め用突起(17)(17)が対向突設されている。
【００３１】
スライドロック(6)の上端部(60)の幅は、ダクトレール(3)のスライド溝(31)の溝入り口に丁度嵌入する寸法に設定されており、これにより、ダクトレール(3)に接続された接続プラグ(P)が不用意に回転して脱落するのが防止されるようになっている。
【００３２】
＊照明器本体(5)及び支持パイプ(50)
照明ランプ(70)を具備する照明器本体(5)の上面に立設された平行なパイプ取付板(57)(58)には支軸(59)が貫通していると共に、該支軸(59)はパイプ取付板(57)(58)間に差し込まれた支持パイプ(50)の下端部を回転可能に貫通している。又、パイプ取付板(57)(58)から外側に突出し支軸(59)の両端突出部には固定ナット(71)(72)が螺合されており、該固定ナット(71)(72)を締め付けることにより、支持パイプ(50)がパイプ取付板(57)(58)に回り止め状態に固定できるようになっている。
【００３３】
支持パイプ(50)は全体が合成樹脂で一体成形されていると共に、その上端近傍の外周には、該支持パイプ(50)の軸方向に間隔を存して設けられた一対の平行な外周フランジ(55)(56)が張り出している。
【００３４】
図１,図２に示すように、上方の外周フランジ(55)の下面には、既述前後ケース(1)(2)の上フランジ(14)(24)から突出する回り止め突起(141)(241)に係合する回り止め突起(550)が突設されている。これにより、支持パイプ(50)を接続プラグ(P)に対して軸周りに回転させると、支持パイプ(50)側の回り止め突起(550)が接続プラグ(P)を構成する前後ケース(1)(2)側の回り止め突起(141)(241)に前記回転方向から択一的に当接（図５参照）し、接続プラグ(P)に対する照明器本体(5)の水平方向の回転範囲が１８０度に規制される。従って、本実施の形態では、上記回り止め突起(141)(241)(550)が既述発明特定事項たる、ストッパに対応する。
【００３５】
《組み立て作業》
次に、本実施の形態に係る照明器具を組み立てる作業を説明する。
先ず、図１に示すように、プラグ主体(A)を挟む態様で前後ケース(1)(2)を対向させる。この状態で、後方ケース(2)と前方ケース(1)の内壁に設けられた位置決め用突起(17)(17)(27)(27)を、プラグ主体(A)の側辺に形成された係合凹部(76)(76)(86)(86)に係合させるように、前後ケース(1)(2)をプラグ主体(A)に外嵌させる。
【００３６】
又、この外嵌時には、照明器本体(5)から延長する支持パイプ(50)の上端近傍から張り出した外周フランジ(55)(56)の相互間に、前後ケース(1)(2)の下端内周の上下フランジ(14)(15)(24)(25)を圧入する。すると、図４に示すように、支持パイプ(50)の上端の外周フランジ(55)が、前後ケース(1)(2)の上フランジ(14)(24)の上面に隆起するリブ(140)(240)に圧接される。これにより、前後ケース(1)(2)の上フランジ(14)(24)がリブ(140)(240)の部分に於いて外周フランジ(55)に圧接した状態になる。即ち、前後ケース(1)(2)の上フランジ(14)(24)が、前記リブ(140)(240)の部分において、外周フランジ(55)に対して周方向の一部で圧接した状態になる。
【００３７】
又、上記外周フランジ(55)に対応する他方の外周フランジ(56)は、前後ケース(1)(2)の平行フランジ(15)(25)に周方向の全域で圧接する。
従って、本実施の形態では、前後ケース(1)(2)の上フランジ(14)(24)が既述発明特定事項たる第２起立板に対応する。又、前後ケース(1)(2)の下フランジ(15)(25)が、既述発明特定事項たる第１起立板に対応する。
【００３８】
次に、後方ケース(2)の周側壁の内面に突設されたネジ保持筒(26)から、プラグ主体(A)の透孔(A2)を介して前方ケース(1)のナット(16)に結合ネジ(c)を螺入して締め付けると、図４,図６に示すように、支持パイプ(50)の上端に接続プラグ(P)が取り付けられる。
このものでは、支持パイプ(50)と一体形成された外周フランジ(55)(56)で、照明器本体(5)を接続プラグ(P)に回転自在に取り付けられるから、図７に示す従来のもののように、吊下プレート(51)、固定ナット(52)、バネ座金(53)等の多くの部品を必要とせず、部品点数が少なくなる利点がある。
【００３９】
又、外周フランジ(55)が前記リブ(140)(240)に対して周方向の一部で圧接するから、外周フランジ(55)がリブ(140)(240)に対して周方向の全域で圧接する場合に比べ、接続プラグ(P)に対して支持パイプ(50)の回転抵抗が小さくなり、照明器本体(5)をスムースに水平方向に回転させることができる。
【００４０】
尚、照明器本体(5)をダクトレール(3)に取り付けるときは、既述従来のものと同様に、接続プラグ(P)の上方に露出する係合片(A11)(A11)（図６参照）をダクトレール(3)の長手方向に平行にすると共に、スライドロック(6)を降下させた状態で、フック軸(A1)をダクトレール(3)のスライド溝(31)に挿入する。その後、接続プラグ(P)を軸周りに回転させる。すると、フック軸(A1)の外周に突出する係合片(A11)(A11)が、スライド溝(31)内の係合バー(32)(32)に上方から係合すると共に、端子金具(4)(4)の上端屈曲片(41)(41)がスライド溝(31)内の電極バー(33)(33)に接触し、これにより、接続プラグ(P)がダクトレール(3)に摺動自在に結合する。これにより、照明器具の取り付け作業が完了する。
【００４１】
尚、上記実施の形態では、前後ケース(1)(2)の下端内周に間隔を存して突設した二枚の上下フランジ(14)(15)及び上下フランジ(24)(25)を、支持パイプ(50)の外周フランジ(55)(56)内に圧入する構成にした。これに対し、外周フランジ(55)(56)の間隔より若干大きな厚みのフランジ体を前後ケース(1)(2)の内周に突設し、該フランジ体を前記外周フランジ(55)(56)の間に圧入するようにしてもよい。この場合、前記「フランジ体」が請求項４の発明の発明特定事項たる「係合起立体」に対応する。
【図面の簡単な説明】
【００４２】
【図１】本発明の実施の形態に係る照明器具の分解斜視図
【図２】接続プラグ(P)の取り付け部分の分解断面図
【図３】後方ケース(2)の裏面図
【図４】組み立て状態の断面図
【図５】支持パイプ(50)の回転動作を説明する横断面図
【図６】支持パイプ(50)の上端に接続プラグ(P)が取り付けられた状態を示す斜視図
【図７】従来例の説明図
【図８】従来例の説明図
【符号の説明】
【００４３】
(1)・・・前方ケース
(2)・・・後方ケース
(5)・・・照明器具
(50)・・・支持パイプ
(P)・・・プラグ
【図１】
2008097931.tif 000003
【図２】
2008097931.tif 000004
【図３】
2008097931.tif 000005
【図４】
2008097931.tif 000006
【図５】
2008097931.tif 000007
【図６】
2008097931.tif 000008
【図７】
2008097931.tif 000009
【図８】
2008097931.tif 000010